(57)【特許請求の範囲】
【請求項１】
モバイル通信装置の複数の装置動作モードのプロファイルを規定するステップと、
前記モバイル通信装置のユーザによって施設を登録するステップと、
前記登録に応じて、第１の動作モードプロファイルに対応する第１の動作モード識別子を含むデータ通信メッセージを受信して前記モバイル通信装置に記憶するステップと、
前記施設の近距離通信タグの領域内に前記モバイル通信装置を位置調整するステップと、
前記モバイル通信装置の近距離通信装置によって、前記モバイル通信装置と前記近距離通信タグの間の近距離通信を検出するステップであって、前記近距離通信は、前記モバイル通信装置のコントローラに前記記憶されたデータ通信メッセージを送らせるステップと、
前記近距離通信の検出に応じて、前記近距離通信を前記モバイル通信装置に記憶されたデータ通信メッセージにリンクして、前記第１の動作モード識別子を取得するステップと、
前記第１の動作モード識別子の取得に応じて、前記第１の動作モードプロファイルと関連がある第１の動作モードを入力し、前記モバイル通信装置のユーザに前記施設にアクセスすることを許可するステップと、
を含む、方法。
【請求項２】
前記施設の他の近距離通信タグに対して前記位置調整するステップと前記検出するステップとを繰り返すステップと、
前記繰り返しステップに応じて、前記モバイル通信装置の第２の動作モードを入力するステップと、
を更に含む、請求項１に記載の方法。
【請求項３】
前記第２の動作モードを入力するステップは、デフォルトの動作モードを入力するステップを含む、請求項２に記載の方法。
【請求項４】
前記第２の動作モードを入力するステップは、初期の動作モードを入力するステップを含む、請求項３に記載の方法。
【請求項５】
前記データ通信メッセージは、前記施設によって発生されるデータを含む、請求項１に記載の方法。
【請求項６】
前記第１の動作モードプロファイルは、前記モバイル通信装置が無線通信を発生することを無効にする飛行機モードプロファイルを含む、請求項５に記載の方法。
【請求項７】
（補正）
前記データ通信メッセージは、購入された飛行機チケットに対応する、請求項１に記載の方法。
【請求項８】
前記第１の動作モードプロファイルは、前記モバイル通信装置が音声通知を発生することを無効にする、請求項１に記載の方法。
【請求項９】
前記第１の動作モードプロファイルは、オフィスモードプロファイルを含む、請求項８に記載の方法。
【請求項１０】
前記モバイル通信装置が前記オフィスモードに対応するモードにある場合に、前記モバイル通信装置によって受信されたメッセージへの応答を自動的に送信するステップを更に含む、請求項９に記載の方法。
【請求項１１】
イベントの購入チケットを施設に関連付けられたデータとして記憶するメモリであって、
モバイル通信装置のユーザの前記施設の登録に応答して、前記登録の応答で受信したデータ通信メッセージであって、動作モード識別子を、前記モバイル通信装置の動作モードを特定する動作モードプロファイルにリンクさせるデータ通信メッセージを記憶するように、構成されているメモリと、
前記モバイル通信装置と前記施設の間の近距離通信を検出するように構成されている近距離通信装置と、
前記近距離通信装置に接続されたコントローラであって、
前記検出された前記施設との近距離通信に応じて、前記データ通信メッセージの前記動作モード識別子を前記メモリから取得し、
前記購入チケットに基づいて、前記モバイル通信装置のユーザが前記イベントにアクセスできるように、前記施設から権限を受け、
前記メモリから取得された前記動作モード識別子に基づいて、前記動作モードプロファイルによって特定されている前記動作モードを入力するように構成されているコントローラと、
を含むモバイル通信装置。
【請求項１２】
前記購入チケットは、前記施設からのチケットを含む、請求項１１に記載のモバイル通信装置。
【請求項１３】
前記コントローラは、前記モバイル通信装置が他の動作モード識別子を受信する場合に、他の動作モードを入力するように構成されている、請求項１１に記載のモバイル通信装置。
【請求項１４】
前記他のモードは、デフォルトモードである、請求項１３に記載のモバイル通信装置。
【発明の詳細な説明】
【技術分野】
【０００１】
本開示は、モバイル通信装置に関し、より詳細には、外部実体との近距離通信（ＮＦＣ）に応じて装置の動作モードを変更することに関する。
【背景技術】
【０００２】
携帯電話、ラップトップ・コンピュータ、ポケットベル、パーソナル・コミュニケーション・システム（ＰＣＳ）、パーソナル・デジタル・アシスタント（ＰＤＡ）等のモバイル通信装置は、地理上の制約又は時間上の制約無しにユビキタス通信の利点と、緊急の場合に助けの連絡をとることができる向上した安全性を提供する。装置の表示は、ユーザが、住所録、カレンダ式スケジュール帳、地図ソフトウェア等の多様なアプリケーションを観て、相互に作用することを許可する。
【０００３】
技術とサービスの進歩は、単なる音声通信を超えた、例えばショートメッセージ、マルチメディアメッセージ、マルチメディア再生、電子メール、音声動画撮影、双方向ゲーム、データ操作、ウェブブラウジング等の多数の追記機能を生んだ。例えば全地球位置測定システム（ＧＰＳ）追跡等の位置把握機能のような他の強化は、モバイル通信装置に自装置の位置を監視させ、位置を表示させることができる。
【０００４】
モバイル電話の構造設計は、サイズの小型を提供し、小さく薄い電話内に強力な処理機能を組み込んでいる。これらの装置の使用利便性や使用し易さは、多様な機能を伴い、実際上ユーザに装置をあらゆる場所に不変の友として運ぶことを導く。しかし、モバイル装置は、ある環境では、互換性が無く、又はある側面では望ましくない。例えば、モバイル電話によって頻繁に発生される、着呼やメッセージ通知等の様々な警報は、会議の場又は娯楽の場では望ましくない。聴衆は、電話を切るように求められるが、不注意あるいはその反対に、電話の使用者は頻繁にそのことを忘れる。他の例では、モバイル装置による信号伝送は、飛行機のフライト中は許可されない。
【０００５】
異なる環境がモバイル電話の使用上異なる制約を求めるので、様々な動作モードプロファイルが開発され、デフォルトモードは一般的に典型的な動作を設定する。サイレント動作モードプロファイルは、他の機能を有効に維持する間、音声発生を停止しうる。オフィスモードプロファイルは、カレンダー及びメール機能の動作を維持している間、音声発生の停止を含みうる。飛行機モード動作は、他の機能を維持する間、無線（ＲＦ）通信を停止しうる。ＴＴＹ動作モードは、聴覚障害や耳の不自由な群集によって使われるテキスト・テレタイプ装置との通信を可能にしうる。個人ハンズフリー（ＰＨＦ）モードは、キー入力の代わりに音声命令機能を可能にし、モバイル装置内でマイクロフォンやスピーカとは対照的にＰＨＦアクセサリに音声を転送しうる。
【０００６】
動作モード間の変更方法は、存在するが、主に、必ずしも直感的でないメニューを検索することと、必ずしも明らかでないユーザインターフェースを選択することを含む。そのような動作モードの変更の困難性や混乱は、頻繁に、ユーザが不規則な環境に対して次善の電話動作を導くモード変更を避けることを導く。動作モードの変化が実行されうる方法を単純化することが必要である。特定の動作モードが、モバイル装置が位置する環境によって必要である場合に、必要なモードへ移動する便利で直感的な方法が、役に立つ。
【発明の概要】
【０００７】
上述した必要性は、モバイル通信装置の複数の装置動作モードプロファイルを規定することで、少なくとも一部で達せられる。各動作モードプロファイルをそれぞれの動作識別子にリンクするデータは、装置メモリに記憶されている。近距離通信（ＮＦＣ）装置に接続されている装置コントローラは、外部の施設との近距離通信の間、ＮＦＣ装置から受信した動作モード識別子データに応じて、初期モードから受信データにリンクした動作モードへ動作を変更する。近距離通信は、施設のＮＦＣタグの指定位置のＮＦＣ領域内にモバイル装置を置くことで、確立されうる。
【０００８】
施設によって発生されるデータも、装置メモリに記憶されうる。施設との近距離通信が検出されると、記憶されたデータはコントローラによってアクセスされ、適切な動作モード識別子が確認されうる。その結果、コントローラは、その後に動作モードを変更できる。ユーザが施設の敷地を離れると、モバイル装置は、施設タグと近距離通信のために再び置かれうる。コントローラは、新たなＮＦＣ通信に応じて、動作モードを変更又はリセットしうる。変化したモードは、デフォルトモード又は初期の動作モードに設定されうる。
【０００９】
記憶された施設発生データは、例えば飛行機モード動作に関連づけられうる。この記憶されたデータは、航空券データを有しうる。従って、近距離通信は、チェックイン・フライトのアクセス許可として使用され、飛行機モード動作を実行する。他の場合には、記憶された施設発生データは劇場の入場券データを有し、近距離通信は劇場への入場を許可することに使用され、例えばバイブレータモード又は携帯電話の動作を無効になるサイレント動作モードに変更しうる。
【００１０】
オフィスモードプロファイルは、近距離通信に応じてアクティブになり、動作中のカレンダとメッセージ機能を維持する間、モバイル通信装置による音声通知を妨げうる。そのような動作は会議に関連し、会議場の指定場所でＮＦＣ装置との近距離通信が確立される。オフィスモード動作では、任意の着信メッセージが、現在利用できすに予め記憶された他のメッセージ、又はカレンダの使用可能性の通知と共に自動的に回答されうる。
【００１１】
さらに他の側面、機能、及び利点は、以下の詳細な説明から当業者に容易に理解される。好ましい実施形態が、最良の実施形態の説明によって、示され説明されている。
【００１２】
開示された概念は、様々な明白な点で改良を生じる細部とともに、他の異なる実施形態も可能である。従って、図面と説明は、実際は例示とし見なされ、限定して見なされない。
【図面の簡単な説明】
【００１３】
本開示では、添付図面の図で、例として説明され、限定して説明されない。図で同じ参照数字は類似の要素に言及する。
【図１】モバイル通信装置例のブロック図である。
【図２】モバイル通信装置と施設の間の近距離通信の略図例である。
【図３】図２のモバイル電話の動作中にアクセスされるデータベースを示すテーブルである。
【図４】実施形態例の動作のフローチャートである。
【発明を実施するための形態】
【００１４】
以下の記述では、説明のために、多数の具体的な詳細は、実施形態例を十分に理解させるために説明されている。しかし、実施形態例が、これらの具体的な詳細無しに、又は均等な装置で実施されうることは、明らかであろう。他の場合には、不必要に不明瞭な実施形態を避けるために、公知の構造や装置がブロック図形式で示される。
【００１５】
図１は、携帯電話、ラップトップ・コンピュータ等のモバイル通信装置１００のブロック図である。通信局１００は、通信回路１０３、及びユーザインターフェース１０５を含む。ユーザインターフェース１０５は、ディスプレイ１１１、キーパッド１１３、マイクロフォン１１５、及びスピーカ１１７を含む。ディスプレイ１１１は、移動局１００のユーザに、ダイヤル数字、呼び出し状態、メニューオプション、及び他のサービス情報を見ることを許可するグラフィカル・インターフェースを提供する。グラフィカル・インターフェースは、アイコン及びメニューと、他のテキストや記号とを含みうる。キーパッド１１３は、英数字のキーパッドを含み、ジョイスティック、ボタン制御、タッチパネル、ダイヤル等の他の入力制御を代理する。従って、ユーザは、ユーザプロファイルを作成し、コマンドを入力し、アプリケーションを初期化し、リモートアドレスを入力し、メニューシステムからオプションを選択できる。マイクロフォン１１５は、ユーザの発話を電気的な音声信号に変換するのに対し、スピーカ１１７は、電気的な音声信号を可聴音に変換する。
【００１６】
通信回路１０３は、音声処理回路１１９、コントローラ１２１、アンテナ１２５に接続された位置特定モジュール１２３（ＧＰＳ受信機等）、メモリ１２７、メッセージモジュール１２５、アンテナ１３１に接続された送受信機１２９、及びアンテナ１３５に接続された無線コントローラ１３３を含む。メモリ１２７は、ランダム・アクセス・メモリ（ＲＡＭ）と読み取り専用メモリ（ＲＯＭ）を含みうるメモリ階層に相当しうる。アプリケーションに基づく位置を含み、アプリケーション動作のためのデータに対応する様々な装置アプリケーションに対応するコンピュータプログラム命令は、消去可能ＰＲＯＭ（ＥＰＲＯＭ）、電気的消去可能ＲＯＭ（ＥＥＰＲＯＭ）、及び／又はフラッシュメモリ等の不揮発性メモリに記憶されうる。メモリ１２７は、１又は２以上の個別素子、積層素子として実装され、又はコントローラ１２１と一体化されうる。メモリ１２７は、１又は２以上のユーザプロファイル、１又は２以上のユーザが規定した方針、及び１又は２以上の住所録等の情報を記憶しうる。
【００１７】
コントローラ１２１は、メモリ１２７に記憶されたプログラム及び／又はデータに応じて、移動局１００の動作を制御する。制御機能は、単一のコントローラ又は多数のコントローラに実装されうる。好ましいコントローラは、例えば、汎用・特殊用途コントローラと、デジタル信号プロセッサーとを含みうる。コントローラ１２１は、スピーカ１１７に基本アナログ出力信号を供給し、マイクロフォン１１５からアナログ音声入力を受信する音声処理回路１１９と接続しうる。
【００１８】
図２は、モバイル通信装置１００と、指定位置にＮＦＣタグ２０２を含む施設所在地２００との間の近距離通信の略図例である。このような指定位置は、たまにＮＦＣ着陸地帯（landing zone）と称される。モバイル通信装置１００は、この場合には、携帯電話として例示される。携帯電話１００は、図２に示されず、図１に図示されているＮＦＣ装置１０７を含む。
【００１９】
施設は、様々な環境対応し、飛行機のターミナルゲート、映画館の入口、会議室等の位置を含む。「施設」（establishment）という用語は、実体の物理的な構造だけでなく、実体の存在内の位置も意味する。例えば、飛行機の実体に関して、「施設」（establishment）という用語は、チケットカウンター、飛行機、及びフライトのいずれかの地点のターミナルゲートを含みうる。
【００２０】
当業者によく知られたＮＦＣ技術は、非接触リーダー、非接触カード、及びピアツーピア通信を組み合わせる。携帯電話１００のＮＦＣ装置１０７は、このような特性を含む。１３．５６ＭＨｚで動作するＮＦＣ技術は、ＩＳＯ１８０９２及びＩＳＯ（国際標準化機構）２１４８１、ＥＣＭＡ（３４０、３５２、及び３５６）（欧州情報通信システム標準化協会）、及びＥＴＳＩ  ＴＳ  １０２  １９０標準で規定されている。ＮＦＣリーダーを有する装置が、ＮＦＣタグを有する第２装置の領域内に位置する場合には、前記リーダーを有する装置は前記タグ内の情報を取得し、プログラムされた動作を実行できる。従って、ＮＦＣは、例えば互いに１〜１０センチメートルの範囲内にあるＮＦＣ使用可能な２つの装置の位置決めによって有効な短距離無線通信システムである。ＮＦＣ装置２０２は、パッシブタグを有し、全てのＮＦＣ機能を含みうる。
【００２１】
モバイル電話１００のユーザは、施設に入るときに、電話をＮＦＣタグ２０２の近辺にかざすことができ、これにより、電話１００とＮＦＣタグ２０２の間のＮＦＣ信号通信１０９が実行される。従って、タグ２０２に含まれるデータは、ＮＦＣリーダー１０７を介して携帯電話１００に伝達される。伝達されたデータは、前記施設によって命令されたモバイル通信動作モードへのリンクを提供する。コントローラ１２１は、ＮＦＣデータの受信に応じて、自動的に命令された動作モードをその後実行できる。
【００２２】
受信されたＮＦＣ通信データは、モバイル装置に記憶されたデータにリンクされうる。例えば、データベースが、複数の動作モードプロファイルと各々の識別子を関連づけているメモリ１２７に記憶されうる。コントローラ１２１は、識別子の一つを含むＮＦＣ通信データの受信に応じて、関連する動作モードプロファイルをその後実行する。例示されたデータベースは、図３に示されている。データベース３００は、各々の動作モードプロファイル３０４にリンクされた複数の異なる識別子３０２を含むテーブルによって表される。図示された例では、第１の識別子は、サイレントモード動作にリンクされている。サイレントモードは音声通知を無効にするので、このようなモードは、劇場に適している。劇場に入るときに、モバイルユーザは、入口のＮＦＣタグの近辺に電話を通すだけで、自動的に音声通知を無効にする。ユーザは、しばしば忘れられるが、電話の電源を切って欲しいとの通常のアナウンスに対して何の行動も必要ない。
【００２３】
図３は、更に飛行機モード、及びオフィスモードのプロファイルにリンクされた識別子を例示している。航空券所有者は、例えば搭乗する際にターミナルゲートウェイでＮＦＣ通信を確立し、自動的に電話の無線通信機能を無効にする。飛行機モードで、電話の他の特性は有効でありうる。オフィスモードは、例えば会議室の入口でＮＦＣ通信が開始されるときに、有効になりうる。オフィスモードプロファイルは、電話の使用をカレンダや電子メールメッセージの受信機能に限定し、サイレントモードの制限を課しうる。オフィスモードプロファイルは、ユーザが使用できないことを暗示する着信メッセージや着呼の自動応答機能を含みうる。
【００２４】
コントローラは、施設との相互作用の後、検出した状況又はユーザ入力によって電話の動作モードを変更するように構成されうる。例えば、ユーザが施設の敷地を離れるとき、又はフライトから降りるときに、モバイル装置は、施設のＮＦＣタグとのＮＦＣ通信に置かれうる。施設は異なる位置に複数のタグを有しうるので、新しいＮＦＣ通信は、先に使用された同様のタグとの電話接続を含む必要が無い。コントローラ１２１は、デフォルトやユーザによって予め設定され、この新たな施設通信に応じた動作モードに変更しうる。例えば、動作モードは、デフォルト設定、又は第１のＮＦＣ通信より実質的に前の動作モードに自動的に変更されうる。
【００２５】
ＮＦＣ通信によって受信されたデータと、関連した動作モードプロファイルの間のリンクは、対応する記憶データを参照してコントローラによって判定されうる。例えば、ユーザは、施設を登録し、動作モード識別子を含むデータ通信メッセージを受信して記憶しうる。受信したＮＦＣ通信は、適切な動作モードの有効化のために、コントローラに記憶メッセージを送りうる。
【００２６】
記憶された対応データは、一例のように、航空券データ又は劇場の入場券データを有しうる。ユーザは、航空券又は劇場の入場券をオンラインで購入し、チケットデータをモバイル装置にダウンロードしうる。施設でのＮＦＣ通信は、上述したように動作モードの変化を行う。施設のＮＦＣ装置は、確立プロセッサーに連結されている十分な能力を有するリーダーを含みうる。従って、ＮＦＣ通信の確立は、モバイル装置にデータとして記憶されている購入チケットを用いる許可ももたらしうる。
【００２７】
図４は、実施形態例の動作のフローチャートである。本実施形態では、モバイル装置は、複数のモードで動作できるように構成されている。動作モードプロファイルは、メニューオプション等に応じた製造者及び／又はユーザ入力によって確立されうる。携帯電話で図示されるモバイル装置は、スタート時に電源が投入され、ブロック４０１でデフォルトの動作モードが設定される。ＮＦＣ機能はアクティブである。デフォルトの動作モードは一般的に十分な通信機能を提供するが、異なるデフォルトモードがユーザによって設定されうる。
【００２８】
ブロック４０３は、モバイル通信のコントローラによって近距離通信が検出されたか否かを判定する。施設の領域内でユーザが故意にモバイル装置を位置決めすることによって、近距離通信が開始されうるときには、誤った近距離通信の発生が可能である。近距離通信が検出され、動作モード識別子が認識された場合には、コントローラは、ブロック４０５で対応する動作モードプロファイルを行う。コントローラは、受信したＮＦＣデータに直接に応答し、又は受信したデータを記憶された対応するデータにリンクして、動作モード識別子リンクを取得しうる。
【００２９】
モバイル装置は、ユーザが手動で他の動作モードを選択する、又はブロック４０７で近距離通信が再び検出される迄、変化したモードの動作を継続する。通信は、施設の敷地を離れるときにユーザによって開始されうる。近距離通信が検出される場合には、ブロック４０９でモバイル装置の動作がデフォルトのモードに変更されたか否かが判定される。この判定は、記憶された、施設に対応した動作モードプロファイルに基づいて行われる。例えば、このようなプロファイルは、第２の一連の認識が特定のモードへの動作変更を要求することを提供しうる。特定のモードは、デフォルトモードになりうるか、又はなりうらない。デフォルトモードが指定された場合には、コントローラがデフォルト動作をリセットし、処理フローがブロック４０３に戻りうる。
【００３０】
異なるモードが指定された場合には、コントローラは、ブロック４１３で対応する動作モードプロファイルに変更する。処理フローは、その次にブロック４０３に戻る。ユーザが異なる施設と相互作用したしたときに、ブロック４０７でのＮＦＣ検出は生じうる。例えば、これらの敷地を離れるときに、ユーザは、第１の施設との近距離通信を再確立することを忘れたり、または機会を有さない。従って、動作は、第１の施設に関連したモードや、ユーザによって手動で変更されたモードを維持しうる。ブロック４０７での後のＮＦＣ検出は、異なる施設との相互作用によって開始されうる。ブロック４１３での動作変更は、新しい施設と関連したモードに適用しうる。
【００３１】
本開示では、好ましい実施形態だけでなく、いくつかの汎用例が示され、説明されている。当然のことながら、本開示は、そのように限定されず、添付の特許請求の範囲内に含まれる、様々な明白な改良や均等な構成に適用可能である。例えば、動作モードの変更は、レストラン等の様々な他の環境に適切でありうる。近距離通信を用いた電話プロファイルの設定は、迅速で便利である。近距離相互作用の提供にかかわる比較的に小さな費用は、施設における適切な電話の使用を生じさせるので、施設所有者に恩恵をもたらす。モード変更を記憶する必要性と要求されるユーザ入力操作を消去することで、電話の使用者は恩恵を受ける。請求の範囲の特徴は特定の組合せで表現されているが、これらの特徴が任意の組合せや順番で配置できると考えられる。
【図１】
0005314154.tif 000002
【図２】
0005314154.tif 000003
【図３】
0005314154.tif 000004
【図４】
0005314154.tif 000005